【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
サーバによってサポートされる複数の参加者の間で通信セッションを行うための方法であって、
第1の参加者と第2の参加者との間でグループ通信セッションを確立するステップと、
前記グループ通信セッションの状況パラメータを決定するステップと、
前記状況パラメータに基づいて前記グループ通信セッションにおいて動作を行うステップと、
前記状況パラメータに基づいて、動的管理ポイントエンティティを前記グループ通信セッションに割り当てるための要求を、前記サーバに送信するステップと、
リソース配分パラメータを前記サーバから前記動的管理ポイントエンティティに配信するステップとを含む、方法。
【請求項２】
前記グループ通信セッションの状況パラメータを決定するステップが、
センサの出力を受信するステップと、
前記出力と前記状況パラメータを決定するための複数の基準とを比較するステップ
または、
前記状況パラメータを示すメッセージをグループ通信セッション参加者から受信するステップ
または、
グループ参加者が所定の地理的位置を通過したという出力をコンピューティングデバイスから受信するステップと、
前記出力と前記状況パラメータを決定するための複数の基準とを比較するステップ
または、
コンピューティングデバイスから出力を受信するステップと、
前記出力と前記状況パラメータを決定するための定められた基準とを比較するステップ
または、
緊急事態が発生したことを示す信号をコンピューティングデバイスから受信するステップ
または、
緊急事態が発生したという信号を前記サーバから受信するステップ
または、
所定のエンティティが前記グループ通信セッションに参加したという信号を受信するステップ
または、
特別な知識を有するエンティティが前記グループ通信セッション中の少なくとも1人の参加者によって必要とされるという状態に応答して送信される信号を受信するステップ
または、
支援が前記グループ通信セッション中の少なくとも1人の参加者によって必要とされることを示す状態に応答して送信される信号を受信するステップ
または、
前記グループ通信セッションの優先レベルが前記グループ通信セッションの少なくとも1人の参加者によって変更されたことを示す状態に応答して送信される信号を受信するステップ
のうちの少なくとも1つを含む、請求項1に記載の方法。
【請求項３】
複数のグループ参加者を順位付けるステップと、
順位に基づいて前記状況パラメータを決定するステップとをさらに含む、請求項1または請求項2に記載の方法。
【請求項４】
追加のグループ参加者を追加するステップと、
前記追加のグループ参加者および前記グループ参加者を順位付けるステップと、
順位の変化に基づいて前記状況パラメータを決定するステップとをさらに含む、請求項3に記載の方法。
【請求項５】
前記状況パラメータに基づいて前記グループ通信セッションにおいて動作を行うステップが、
サイドバー通信セッションを形成するための要求を、グループ通信セッション参加者の少なくとも2人から前記サーバに送信するステップと、
前記サイドバー通信セッションを形成するためのリソース配分パラメータを、グループ通信セッション参加者の少なくとも2人から受信するステップとを含む、請求項1または請求項2に記載の方法。
【請求項６】
前記状況パラメータに基づいて前記グループ通信セッションにおいて動作を行うステップが、
前記動的管理ポイントエンティティが話す参加者として前記通信セッション中の参加者に加わるための要求を送信するステップと、
前記動的管理ポイントエンティティが前記話す参加者として前記通信セッション中の参加者に加わるためのリソース配分パラメータを前記サーバが送信するステップとを含む、請求項1または請求項2に記載の方法。
【請求項７】
前記状況パラメータに基づいて前記グループ通信セッションにおいて動作を行うステップが、
境界を通過した場合の警告、所定の会話時間が過ぎた場合の警告、センサがトリガされたという警告、および、背景雑音が所定のレベルを超えた場合の消音動作または警告動作のうちの少なくとも1つを含む、警告メッセージを送信するステップを含む、請求項1または請求項2に記載の方法。
【請求項８】
メモリと、
前記メモリに結合されたプロセッサとを含み、前記プロセッサが、
第1の参加者と第2の参加者との間でグループ通信セッションを確立するステップと、
前記グループ通信セッションの状況パラメータを決定するステップと、
前記状況パラメータに基づいて前記グループ通信セッションにおいて動作を行うステップと、
前記状況パラメータに基づいて、動的管理ポイントエンティティを前記グループ通信セッションに割り当てるための要求を受信するステップと、
リソース配分パラメータを前記動的管理ポイントエンティティに送信するステップとを含む動作を実行するように、プロセッサ実行可能命令によって構成され、
前記グループ通信セッションの状況パラメータを決定するステップが、
センサの出力を受信するステップと、
前記出力と前記状況パラメータを決定するための複数の基準とを比較するステップ
または、
前記状況パラメータを示すメッセージをグループ参加者から受信するステップ
または、
グループ参加者が所定の地理的位置を通過したというメッセージを受信するステップと、
前記状況パラメータを決定するための複数の基準と前記通過した所定の地理的位置を比較するステップ
または、
コンピューティングデバイスから出力を受信するステップと、
コンピューティングデバイス出力からの前記出力と前記状況パラメータを決定するための複数の定められた基準とを比較するステップ
または、
緊急事態が発生したことを示す信号を受信するステップ
または、
所定のエンティティが前記グループ通信セッションに参加したという信号を受信するステップ
または、
特別な知識を有するエンティティが前記グループ通信セッション中の少なくとも1人の参加者によって必要とされることを示す信号を受信するステップ
または、
支援が前記グループ通信セッション中の少なくとも1人の参加者によって必要とされることを示す信号を受信するステップ
または、
グループ通信セッションの優先レベルが前記グループ通信セッションの少なくとも1人の参加者によって変更されたことを示す信号を受信するステップ
のうちの少なくとも1つを含む動作を実行するように、プロセッサ実行可能命令によってサーバプロセッサが構成される、サーバ。
【請求項９】
サーバプロセッサに動作を実行させるように構成されたプロセッサ実行可能命令を記憶した非一時的コンピュータ可読記憶媒体であって、前記動作が、
第1の参加者と第2の参加者との間でグループ通信セッションを確立するステップと、
前記グループ通信セッションの状況パラメータを決定するステップと、
前記状況パラメータに基づいて前記グループ通信セッションにおいて動作を行うステップと、
前記状況パラメータに基づいて、動的管理ポイントエンティティを前記グループ通信セッションに割り当てるための要求を受信するステップと、
リソース配分パラメータを前記動的管理ポイントエンティティに送信するステップとを含み、
前記グループ通信セッションの状況パラメータを決定するステップが、
センサの出力を受信するステップと、
前記出力と前記状況パラメータを決定するための複数の基準とを比較するステップ
または、
前記状況パラメータを示すメッセージをグループ参加者から受信するステップ
または、
グループ参加者が所定の地理的位置を通過したという出力メッセージをコンピューティングデバイスから受信するステップと、
前記状況パラメータを決定するための複数の基準と前記通過した所定の地理的位置を比較するステップ
または、
コンピューティングデバイスから出力を受信するステップと、
前記コンピューティングデバイスからの前記出力と前記状況パラメータを決定するための複数の定められた基準とを比較するステップ
または、
緊急事態が発生したことを示す信号を受信するステップ
または、
所定のエンティティが前記グループ通信セッションに参加したという信号を受信するステップ
または、
特別な知識を有するエンティティが前記グループ通信セッション中の少なくとも1人の参加者によって必要とされる状態を示す信号を受信するステップ
または、
支援が前記グループ通信セッション中の少なくとも1人の参加者によって必要とされることを示す状態に応答して送信される信号を受信するステップ
または、
グループ通信セッションの優先レベルが前記グループ通信セッションの少なくとも1人の参加者によって変更されたことを示す信号を受信するステップ
のうちの少なくとも1つを含み、前記サーバプロセッサに動作を実行させるように前記記憶されたプロセッサ実行可能命令が構成される、非一時的コンピュータ可読記憶媒体。
【請求項１０】
第1の参加者と第2の参加者との間でグループ通信セッションを確立するための手段と、
前記グループ通信セッションの状況パラメータを決定するための手段と、
前記状況パラメータに基づいて前記グループ通信セッションにおいて動作を行うための手段と、
前記状況パラメータに基づいて、動的管理ポイントエンティティを前記グループ通信セッションに割り当てるための要求を受信するための手段と、
リソース配分パラメータを前記動的管理ポイントエンティティに送信するための手段とを含み、
前記グループ通信セッションの状況パラメータを決定するための前記手段が、
センサの出力を受信するための手段と、
前記出力と前記状況パラメータを決定するための複数の基準とを比較するための手段
または、
前記状況パラメータを示すメッセージをグループ参加者から受信するための手段
または、
グループ参加者が所定の地理的位置を通過したという出力メッセージをコンピューティングデバイスから受信するための手段と、
前記状況パラメータを決定するための複数の基準と前記通過した所定の地理的位置を比較するための手段
または、
デバイスから出力を受信するための手段と、
前記デバイスからの前記出力と前記状況パラメータを決定するための複数の定められた基準とを比較するための手段
または、
緊急事態が発生したことを示す信号を受信するための手段
または、
所定のエンティティが前記グループ通信セッションに参加したという信号を受信するための手段
または、
特別な知識を有するエンティティが前記グループ通信セッション中の少なくとも1人の参加者によって必要とされる状態を示す信号を受信するための手段
または、
支援が前記グループ通信セッション中の少なくとも1人の参加者によって必要とされることを示す状態に応答して送信される信号を受信するための手段
または、
グループ通信セッションの優先レベルが前記グループ通信セッションの少なくとも1人の参加者によって変更されたことを示す信号を受信するための手段
のうちの少なくとも1つを含む、サーバ。
【請求項１１】
メモリと、
前記メモリに結合され動作を実行するためのプロセッサ実行可能命令によって構成されるプロセッサとを含み、前記動作が、
少なくとも2人の参加者の間のグループ通信セッションに動的管理ポイントエンティティとして参加するステップと、
コンピューティングデバイスが前記動的管理ポイントエンティティとして働くことを可能にする、リソース配分パラメータを受信するステップと、
前記グループ通信セッションの状況パラメータを決定するステップと、
前記状況パラメータに基づいて前記グループ通信セッションにおいて動作を行うステップとを含む、コンピューティングデバイス。
【請求項１２】
少なくとも2人の参加者の間のグループ通信セッションに動的管理ポイントエンティティとして参加するための手段と、
コンピューティングデバイスが前記動的管理ポイントエンティティとして働くことを可能にする、リソース配分パラメータを受信するための手段と、
前記グループ通信セッションの状況パラメータを決定するための手段と、
前記状況パラメータに基づいて前記グループ通信セッションにおいて動作を行うための手段とを含む、コンピューティングデバイス。
【請求項１３】
コンピュータデバイスのプロセッサに動作を実行させるように構成されたプロセッサ実行可能命令を記憶した非一時的コンピュータ可読記憶媒体であって、前記動作が、
少なくとも2人の参加者の間のグループ通信セッションに参加するステップと、
前記プロセッサが動的管理ポイントエンティティとして働くように動作を実行することを可能にする受信されたリソース配分パラメータに基づいて、前記グループ通信セッションの状況パラメータを決定するステップと、
前記状況パラメータに基づいて前記グループ通信セッションにおいて動作を行うステップとを含み、
前記グループ通信セッションの状況パラメータを決定するステップが、前記コンピュータデバイスのプロセッサに、
センサの出力を受信するステップと、
前記出力と前記状況パラメータを決定するための複数の基準とを比較するステップ
または、
緊急事態が発生したことを示す信号を受信するステップ
のうちの少なくとも1つを含む動作を実行させるように構成される、非一時的コンピュータ可読記憶媒体。
【請求項１４】
ブロードキャストネットワークおよびマルチキャストネットワークのうちの1つに結合されたプロセッサを含むサーバと、
前記ブロードキャストネットワークおよび前記マルチキャストネットワークのうちの1つを介して、前記サーバから通信を受信するように構成されたプロセッサを含むコンピューティングデバイスとを含み、
前記サーバのプロセッサが、
第1の参加者と第2の参加者との間でグループ通信セッションを確立するステップと、
前記グループ通信セッションの状況パラメータを決定するステップと、
前記状況パラメータに基づいて前記グループ通信セッションにおいて動作を行うステップと、
前記状況パラメータに基づいて、動的管理ポイントエンティティを前記グループ通信セッションに割り当てるための要求を受信するステップと、
リソース配分パラメータを前記動的管理ポイントエンティティに送信するステップとを含む動作を実行するように、プロセッサ実行可能命令によって構成され、
前記グループ通信セッションの状況パラメータを決定するステップが、
センサの出力を受信するステップと、
前記出力と前記状況パラメータを決定するための複数の基準とを比較するステップ
または、
前記状況パラメータを示すメッセージをグループ参加者から受信するステップ
または、
グループ参加者が所定の地理的位置を通過したというメッセージを前記コンピューティングデバイスから受信するステップと、
前記状況パラメータを決定するための複数の基準と前記通過した地理的位置を比較するステップ
または、
前記コンピューティングデバイスから出力を受信するステップと、
前記コンピューティングデバイスからの前記出力と前記状況パラメータを決定するための複数の定められた基準とを比較するステップ
または、
緊急事態が発生したことを示す信号を受信するステップ
または、
所定のエンティティが前記グループ通信セッションに参加したという信号を受信するステップ
または、
特別な知識を有するエンティティが前記グループ通信セッション中の少なくとも1人の参加者によって必要とされることを示す信号を受信するステップ
または、
支援が前記グループ通信セッション中の少なくとも1人の参加者によって必要とされることを示す信号を受信するステップ
または、
グループ通信セッションの優先レベルが前記グループ通信セッションの少なくとも1人の参加者によって変更されたことを示す信号を受信するステップ
のうちの少なくとも1つを含む動作を実行するように、プロセッサ実行可能命令によって前記サーバのプロセッサが構成される、システム。
【請求項１５】
グループ通信セッションに参加するための手段と、
プロセッサが動的管理ポイントエンティティとして働くように動作を実行することを可能にする受信されたリソース配分パラメータに基づいて、前記グループ通信セッションの状況パラメータを決定するための手段と、
前記状況パラメータに基づいて前記グループ通信セッションにおいて動作を行うための手段とを含み、
前記グループ通信セッションの状況パラメータを決定するための手段がさらに、
センサの出力を受信するための手段と、
前記出力と前記状況パラメータを決定するための複数の基準とを比較するための手段
または、
前記状況パラメータを示すメッセージをグループ参加者から受信するための手段
または、
グループ参加者が所定の地理的位置を通過したというメッセージをコンピューティングデバイス手段から受信するための手段と、
前記状況パラメータを決定するための複数の基準と前記通過した地理的位置を比較するための手段
または、
コンピューティングデバイス手段から出力を受信するための手段と、
前記コンピューティングデバイス手段からの前記出力と前記状況パラメータを決定するための複数の定められた基準とを比較するための手段
または、
緊急事態が発生したことを示す信号を受信するための手段
または、
所定のエンティティが前記グループ通信セッションに参加したという信号を受信するための手段
または、
特別な知識を有するエンティティが必要とされることを示す信号を受信するための手段
または、
支援が必要とされることを示す、送信される信号を受信するための手段
または、
グループ通信セッションの優先レベルが前記グループ通信セッションの少なくとも1人の参加者によって変更されたことを示す信号を受信するための手段
のうちの少なくとも1つを含む、システム。